(57)【要約】【課題】  従来、コストがかかり大規模の畜産家又は畜産企業では実施が可能であるが、小規模の農家等では実施することが困難なものと成っており、普及が遅れている要因と成っている。【解決手段】  本発明は、豚舎１の排尿溝１ａと、原尿集合槽２と、固形物前処理手段３ａを設けた前処理装置３と、嫌気処理槽４と、オーバーフロー手段４ａと、流量調整槽４ｂと、流量調整手段４ｃと、高分子凝集剤注入手段５と、凝集混合攪拌手段６と、凝集混合攪拌手段の汚水をブロアー７により表面ばっ気すると共に固液分離させる沈殿分離槽８と、上澄液体を濾過する濾過手段８ａと、水質を調整すると共に放流させる水質調整放流手段９と、沈殿分離槽の汚泥を処理する汚泥脱水槽１０を備えたものであり、更に、水質調整放流手段９に代えて最終処理手段９を備えたものである。【選択図】  図１
2005262193.tif 000002
【特許請求の範囲】
【請求項１】
豚舎の床に設け尿等の汚水を流出させる排尿溝と、該排尿溝を流出した汚水を流入させる原尿集合槽と、該原尿集合槽に貯留した汚水を流入させると共に汚水中の固形物を巻き上げて排出する固形物前処理手段を設けた前処理装置と、該前処理装置で固形物を処理した後の汚水を貯留させて嫌気処理する嫌気処理槽と、該嫌気処理槽の一側壁に設けたオーバーフロー手段と、該オーバーフロー手段で流出した嫌気処理後の汚水を貯留させる流量調整槽と、該流量調整槽に設けた汚水の量を調整する流量調整手段と、該流量調整手段で移送される汚水に高分子凝集剤を注入する高分子凝集剤注入手段と、該高分子凝集剤注入手段で高分子凝集剤を注入した汚水を混合攪拌させる凝集混合攪拌手段と、該凝集混合攪拌手段で混合攪拌させた汚水をブロアーによりエアを送り表面ばっ気することによりスカムの浮上を防止すると共に固液分離を容易にさせる沈殿分離槽と、該沈殿分離槽で沈殿分離させた上澄液体を濾過する濾過手段と、該濾過手段で濾過した上澄液体の水質を調整すると共に放流させる水質調整放流手段と、前記沈殿分離槽の底部辺に貯留する汚泥を処理する汚泥脱水槽を備えたことを特徴とする豚尿処理システム。
【請求項２】
請求項１に記載の豚尿処理システムにおいて、前記水質調整放流手段に代えて濾過手段で濾過した上澄液体に更に高分子凝集剤を注入して最終処理をする最終処理手段を備えたことを特徴とする豚尿処理システム。
【発明の詳細な説明】
【技術分野】
【０００１】  本発明は豚尿処理システムに関するものであり、更に、詳細には、豚舎から流出する尿等の汚水を固液分離処理して固形物は適宜処理し、液体は水質を調整して環境を汚染することなく放流処理できる普及型の豚尿処理システムに関するものである。
【背景技術】
【０００２】  従来、この種の豚尿処理システムは大規模な工事となり高価なものであり、小規模な畜産農家においては尿溜槽を設けて貯留させるのみで普及が遅れているのが実情である。【０００３】  例えば、活性汚泥法により処理した汚水にアルカリを加えて中和し、その際生成する沈殿を分離し、上澄液に酸化剤を添加することにより脱色し、かつＣＯＤ，ＢＯＤを低減させることを特徴とする畜舎汚水の処理方法及びその装置（特許文献１参照）や、尿汚水浄化処理施設と家畜糞・固形分の発酵堆肥化処理施設からなり、原水槽、調整槽、沈殿槽、膜分離処理を備えたばっき槽、脱水汚泥処理槽、逆浸透膜処理槽を組合わせてなり、発酵槽用社屋内に上面開口し家畜糞・固形分と脱水汚泥など補助材との混合物の発酵槽と操作室に、発酵促進給気系機構と脱臭給気系機構と発酵促進換気機構と水分調節機構と切返し移送装置とを装備してなり、逆浸透膜処理槽からの養分溶解濃縮水と必要に応じ回収した清浄処理水が移送手段により水分調節機構の貯水槽に流入するよう連結し、散水装置により貯水槽に貯留された養分溶解濃縮水や清浄処理水を発酵堆肥製造施設の発酵槽内に散水する構成とし、脱水汚泥処理槽の脱水機からの脱水汚泥の発酵槽への投入手段を構成し、発酵槽に投入された脱水汚泥を家畜糞・固形分と混合発酵分解してコンポスト化するもの（特許文献２参照）や、家畜の排泄物のうちの液体成分（尿）を固体成分（糞）から分離し、分離した液体成分を貯蓄槽に溜めた後、貯蓄槽の中に強酸性水を注入して液体成分を中和し、中和した液体成分を調整槽へ送り、調整槽の中に凝固沈殿剤を加えて攪拌して液体成分中の溶質を凝固沈殿物として液体から分離し、調整槽内の液体を排出した後、凝固沈殿物に水分吸着剤を加えて攪拌して粉末状とし、肥料や飼料として利用するもの（特許文献３参照）等が開示されている。
【特許文献１】特開平１０−１８４９９１号公報
【特許文献２】特開２０００−１３８７号公報
【特許文献３】特開２００２−１０１７７７号公報
【発明の開示】
【発明が解決しようとする課題】
【０００４】  然し乍ら、先に開示されたものは、何れもコストがかかる大規模のもので大量の豚を飼育する大規模の畜産家又は畜産企業では実施が可能であるが、数頭の豚を飼育する小規模の農家等ではコストがかかり過ぎて実施することが困難なものと成っており、普及が遅れている要因と成っている。
【課題を解決するための手段】
【０００５】  本発明の豚尿処理システムは、前述の課題に鑑み、鋭意研鑽の結果、豚舎の尿等の汚水を流出させる排尿溝と、排尿溝を流出した汚水を貯留させる原尿集合槽と、原尿集合槽に貯留した汚水を流入させ固形物前処理手段を設けた前処理装置と、前処理装置で固形物を処理した後の汚水を貯留させて嫌気処理する嫌気処理槽と、嫌気処理槽に設けたオーバーフロー手段と、オーバーフロー手段で流出した汚水を貯留させる流量調整槽と、流量調整槽に設けた流量調整手段と、流量調整手段で移送される汚水に高分子凝集剤を注入する高分子凝集剤注入手段と、高分子凝集剤注入手段で高分子凝集剤を注入した汚水を混合攪拌させる凝集混合攪拌手段と、凝集混合攪拌手段で混合攪拌させた汚水をブロアーによりエアを送り表面ばっ気すると共に固液分離させる沈殿分離槽と、沈殿分離槽で沈殿分離させた上澄液体を濾過する濾過手段と、濾過手段で濾過した上澄液体の水質を調整すると共に放流させる水質調整放流手段と、沈殿分離槽に貯留する汚泥を処理する汚泥脱水槽を備えたものであり、更に、水質調整放流手段に代えて高分子凝集剤を注入して最終処理をする最終処理手段を備えたものである。
【発明の効果】
【０００６】  本発明の豚尿処理システムは、排尿溝に連繋させた原尿集合槽と、固形物を排出する固形物前処理手段を設けた前処理装置と、既設の汚水溜槽を改造することが可能な嫌気処理させると共に、嫌気処理槽で処理させた汚水の量を調整する流量調整手段と、高分子凝集剤を注入する高分子凝集剤注入手段と、高分子凝集剤を混合攪拌させる凝集混合攪拌手段と、ブロアーからのエアにより表面ばっ気すると共に固液分離させる沈殿分離槽と、上澄液体を濾過する濾過手段と、上澄液体の水質を調整すると共に放流させる水質調整放流手段と、又は、最終処理する最終処理手段と、汚泥脱水槽を備えることにより、既設の汚水溜槽を改造して比較的廉価に施工できるシステムで豚尿等の汚水を処理できるものであり、画期的で極めて実用性且つ普及性の高い発明である。
【発明を実施するための最良の形態】
【０００７】  本発明は豚尿処理システムに関するものであり、更に、詳細には、豚舎から流出する尿等の汚水を固液分離処理して固形物は適宜処理し、液体は水質を調整して環境を汚染することなく放流できる普及型の豚尿処理システムに関するものであり、請求項１に記載の豚尿処理システムは、豚舎１の床に設け尿等の汚水を流出させる排尿溝１ａと、該排尿溝１ａを流出した汚水を流入させる原尿集合槽２と、該原尿集合槽２に貯留した汚水を流入させると共に汚水中の固形物を巻き上げて排出する固形物前処理手段３ａを設けた前処理装置３と、該前処理装置３で固形物を処理した後の汚水を貯留させて嫌気処理する嫌気処理槽４と、該嫌気処理槽４の一側壁に設けたオーバーフロー手段４ａと、該オーバーフロー手段４ａで流出した嫌気処理後の汚水を貯留させる流量調整槽４ｂと、該流量調整槽４ｂに設けた汚水の量を調整する流量調整手段４ｃと、該流量調整手段４ｃで移送される汚水に高分子凝集剤を注入する高分子凝集剤注入手段５と、該高分子凝集剤注入手段５で高分子凝集剤を注入した汚水を混合攪拌させる凝集混合攪拌手段６と、該凝集混合攪拌手段６で混合攪拌させた汚水をブロアー７によりエアを送り表面ばっ気することによりスカムの浮上を防止すると共に固液分離を容易にさせる沈殿分離槽８と、該沈殿分離槽８で沈殿分離させた上澄液体を濾過する濾過手段８ａと、該濾過手段８ａで濾過した上澄液体の水質を調整すると共に放流させる水質調整放流手段９と、前記沈殿分離槽の底部辺に貯留する汚泥を処理する汚泥脱水槽１０を備えたものである。【０００８】  更に、請求項２に記載の豚尿処理システムは、請求項１に記載の豚尿処理システムにおいて、前記水質調整放流手段９に代えて濾過手段８ａで濾過した上澄液体に更に高分子凝集剤を注入して最終処理をする最終処理手段９を備えたものである。
【実施例】
【０００９】  以下、本発明の豚尿処理システムの実施例の図面を用いて詳細に説明すると、図１は本発明の豚尿処理システムの実施例の概要を説明するための概要説明図であり、図２は本発明の豚尿処理システムの実施例の概要を説明するためのフローシート図である。【００１０】  即ち、本発明の豚尿処理システムは、数頭の豚を飼育する小規模の畜産農家でも廉価なシステムで完全に処理できるため実施が可能なものであり、図１に図示する如く、排尿溝１ａは豚舎１の床に設けている樋状のもので、床面に放尿された尿等の汚水を流出させるものである。【００１１】  そして、原尿集合槽２は排尿溝１ａを流出する汚水を流入させるもので、豚舎１の下方に設けて排尿溝１ａから自然に流入させるものが好適なものであるが、パイプやホース等を連繋させて流入させても構わないものである。【００１２】  次に、前処理装置３は原尿集合槽２に貯留した汚水を底部辺に設置した原汚水移送ポンプ２ａにより原汚水移送配管系２ｂを配設して流入させると共に、前処理装置３を上槽と下槽に分ける固形物前処理手段３ａを設けているもので、固形物前処理手段３ａはスクリーンコンベアでが好適なもので、固形物前処理手段３ａを回動させることで毛やし渣等の固形物を巻き上げて外に排出するもので、排出位置には固形物の排出用のねこ車３ｂ等を配設しているものであり、下槽に貯留する固形物を排出した後の汚水は前処理移送ポンプ３ｃを埋没設置すると共に、前処理移送系３ｄを配設して後述する嫌気処理槽４に送水するものである。【００１３】  次いで、嫌気処理槽４は既設の汚水留槽を改造できるもので、前処理装置３で固形物を処理した後の汚水を前処理移送ポンプ３ｃを駆動させることにより前処理移送系３ｄを経て送水貯留させるもので、例えば、スクリーン等で仕切って複数に区画しているものである。【００１４】  更に、オーバーフロー手段４ａは嫌気処理槽４の一側壁に設けているもので、実施例では側壁の高さを調整して嫌気処理槽４の汚水を上方からオーバーフローさせるものであるが、一側壁にオーバーフロー用の貫通穴を穿設したものでも構わないものである。【００１５】  更には、流量調整槽４ｂは嫌気処理槽４の一側壁に設けたオーバーフロー手段４ａで流出した嫌気処理後の汚水を一時的に貯留させるものであり、底部辺には後述する流量調整手段４ｃを設けているものである。【００１６】  そして、流量調整手段４ｃは流量調整槽４ｂの底部辺に設けたものでフロートスイッチと接続された流量調整ポンプからなり、流量調整槽４ｂに一時的に貯留させたオーバーフロー手段４ａから流入した嫌気処理後の汚水の量をフロートスイッチをオンオフさせることで流量を調整させるもので、フロートスイッチのオンにより流量調整ポンプを駆動させて流量調整配管系４ｄを配設して後述する凝集混合攪拌手段６に送水するものであり、更に、フロートスイッチは後述する溶解液注入ポンプ５ａも同時にオンオフさせるものである。【００１７】  次に、高分子凝集剤注入手段５は流量調整手段４ｃから流量調整配管系４ｄで移送される汚水に合流させるもので、高分子凝集剤を水に溶解させて溶解液として高分子凝集剤注入系５ｂにより注入するものであり、高分子凝集剤注入系５ｂに介装された溶解液注入ポンプ５ａを前記流量調整手段４ｃのフロートスイッチにより駆動させて注入するものである。【００１８】  次いで、凝集混合攪拌手段６は高分子凝集剤注入手段５から高分子凝集剤注入系５ｂによって移送される高分子凝集剤の溶解液と流量調整手段４ｃから流量調整配管４ｄで送られる汚水を混合攪拌させるもので、混合攪拌することで汚水に含まれている不純物等を凝集させ、後述する沈殿分離槽８に凝集混合攪拌配管系６ａを配設して送水させるものである。【００１９】  更に、沈殿分離槽８は凝集混合攪拌手段６で混合攪拌させた汚水を凝集混合攪拌配管系６ａにより送水され、ブロワー７によりエアをブロワー配管系７ａで送り、沈殿分離槽８にスカム等が浮上しないように表面ばっ気処理することにより、汚水中の固形物は容易に下方に沈殿して固液分離するものである。【００２０】  更には、濾過手段８ａは容器状のフィルターで囲ったもので、沈殿分離槽８の上方に水没させ配設させているもので、本件特許出願人が先に取得した特許第３１７５０１０号を用いても構わないものである。【００２１】  そして、水質調整放流手段９は濾過手段８ａで濾過させた後の上澄液体を濾過手段８ａの内側から排水送水系８ｂを配設して水質調整放流手段９に送水するもので、水質調整放流手段９では井戸水、又は、水道水等の清水を清水配管系９ａを配設して合流させ環境汚染に成らないように希釈することで、上澄液体の水質を調整すると共に放水配管系９ｂを配設して放流するものである。【００２２】  更に、次実施例では井戸水、又は、水道水等の清水が取れないところで実施するもので、水質調整放流手段９に代えて最終処理手段９を備えるものであり、濾過手段８ａで濾過した上澄液体を排水送水系８ｂにより送水し、ポリ硫酸第二鉄、硫酸バンド、パック等の高分子凝集剤を注入することにより、上澄液体を更に処理するもので、脱色も可能にする高度の最終処理を行い、処理後の上澄液体は適宜処理を行うものである。【００２３】  一方、汚泥脱水槽１０は沈殿分離槽８の底部辺に固液分離させたことにより貯留する固形状物を大量に含む汚泥等を濃縮汚泥移送ポンプ８ｃにより濃縮汚泥移送配管系８ｄを配設して汚泥脱水槽１０に移送して処理するもので、汚泥等は籾殻やオガクズを混和させて脱水して適宜に処理し、汚泥等から排出する液体分は汚泥脱水槽１０の一側端辺に排水溝１０ａを設け廃液貯留槽１０ｂに貯留して廃液ポンプ１０ｃにより廃液処理系１０ｄを配設して流量調整槽４ｂに戻すものである。【００２４】  尚、自動制御盤１１は夫々のモーターやポンプ等と電気的に接続させており、本発明の豚尿処理システムの全体を自動的に制御させているものである。
【産業上の利用可能性】
【００２５】  本発明の豚尿処理システムは、既設の貯留槽を改造することで可能にするもので施工費用が廉価に提供でき、小規模に豚を飼育している小規模畜産農家でも実施が可能となるものである。
【図面の簡単な説明】
【００２６】
【図１】  図１は本発明の豚尿処理システムの実施例の概要を説明するための概要説明図である。
【図２】  図２は本発明の豚尿処理システムの実施例の概要を説明するためのフローシート図である。
【符号の説明】
【００２７】１      豚舎
１ａ    排尿溝
２      原尿集合槽
２ａ    原汚水移送ポンプ
２ｂ    原汚水移送配管系
３      前処理装置
３ａ    固形物前処理手段
３ｂ    ねこ車
３ｃ    前処理移送ポンプ３ｃ
３ｄ    前処理移送系
４      嫌気処理槽
４ａ    オーバーフロー手段
４ｂ    流量調整槽
４ｃ    流量調整手段
４ｄ    流量調整配管系
５      高分子凝集剤注入手段
５ａ    溶解液注入ポンプ
５ｂ    高分子凝集剤注入系
６      凝集混合攪拌手段
６ａ    凝集混合攪拌配管系
７      ブロアー
７ａ    ブロアー配管系
８      沈殿分離槽
８ａ    濾過手段
８ｂ    排水送水系
８ｃ    濃縮汚泥移送ポンプ
８ｄ    濃縮汚泥移送配管系
９      水質調整放流手段又は最終処理手段
９ａ    清水配管系
９ｂ    放水配管系
１０    汚泥脱水槽
１０ａ  排水溝
１０ｂ  廃液貯留槽
１０ｃ  廃液ポンプ
１０ｄ  廃液処理系
【図１】
2005262193.tif 000003
【図２】
2005262193.tif 000004